(57)【特許請求の範囲】
【請求項１】
側縁部から所定距離離間されて壁板材が貼設された一対の壁パネルが両側縁部を突き合わせて設けられた目地部に、該側縁部に跨るように、前記壁板材と略面一となるように目地塞ぎ壁板材を貼設して、目地塞ぎ壁板材と壁板材との突き合わせ部分で両側縁部に跨るように弾性を有する目地テープを貼設し、更に、該目地塞ぎ壁板材及び壁板材並びに該目地テープの上に接着剤を介在させて装飾タイルを貼設したことを特徴とする外壁の目地構造。
【請求項２】
前記一対の壁パネルは、ユニット建物の隣接配置された建物ユニットの壁パネルであることを特徴とする請求項１記載の外壁の目地構造。
【請求項３】
前記目地テープには、アクリル系材料で構成された基材内に、シリコン層が設けられると共に、前記基材表面には、予め表面塗装が施されていることを特徴とする請求項１又は２記載の外壁の目地構造。
【請求項４】
側縁部から所定距離離間されて壁板材が貼設された一対の壁パネルが両側縁部を突き合わせて設けられた目地部に、該側縁部に跨るように、前記壁板材と略面一となるように目地塞ぎ壁板材を貼設した後、目地塞ぎ壁板材と壁板材との突き合わせ部分で両側縁部に跨るように弾性を有する目地テープを貼設し、更に、該目地塞ぎ壁板材及び壁板材並びに該目地テープの上に接着剤を介在させて装飾タイルを貼設することを特徴とする外壁目地施工方法。
【発明の詳細な説明】
【０００１】
【発明の属する技術分野】
この発明は、ユニット住宅等、建築物の隣接配置された建物ユニット間或いは外壁部材の突き合わせ部分を塞ぐ外壁の目地構造、目地テープ及び外壁目地施工方法に関するものである。
【０００２】
【従来の技術】
従来のユニット住宅等、建築物の外壁の目地構造としては、図１８に示すような実公平４−２１３９６号公報に記載されたようなものが知られている。
このようなものでは、外壁１の外装材２，２の間に形成された所定間隔の目地部３に、シーラント４を充填し、シーラント４の表面に弾性クロス５を埋設した弾性層６が設けられている。
この弾性層６の表面にはモルタル層７が形成されていて、このモルタル層７に弾性塗料層９を介して装飾タイル８，８が貼り付けられている。
【０００３】
次に、この従来の外壁の目地構造の作用について説明する。
このように構成された従来のものでは、前記弾性クロス５を埋設した弾性層６の表面にモルタル層７が形成され、このモルタル層７に弾性塗料層９を介して装飾タイル８，８が貼着されている。
このため、モルタル層７に微細なクラックが生じたとしても弾性塗料層９により、装飾タイル８，８にクラックが生じることを防止できる。
【０００４】
なお、他のこの種の外壁の目地構造としては、両外装材２，２に跨る位置の装飾タイル８の裏面側の何れか一方をモルタルによって固着すると共に、他方を硬化後も弾性を有する接着材を用いて下地材に貼り付ける特公平５−２８３０３号公報等に記載されているものも知られている。
【０００５】
【発明が解決しようとする課題】
しかしながら、このような従来の外壁の目地構造では、以下のような問題点があった。
すなわち、施工現場において、前記シーラント４を充填した後、弾性層６を弾性クロス５を埋設させながら弾性アクリル材料のような弾性パテで形成して、乾燥養生させ、その上からモルタル層７を塗布形成しなければならない。
このため、天候に左右されやすい屋外作業となる外壁の目地処理を、充填及び乾燥養生を繰り返し行いながら施工しなければならず、工期を短縮させることが困難であるといった問題もあった。
そこで、本発明の目的は、上記の問題点を解消し、簡易な方法で目地構造の施工を行え、工期を短縮できる外壁の目地構造、目地テープ及び外壁目地施工方法を提供することを目的としている。
【０００６】
【課題を解決するための手段】
上記課題を解決するために、請求項１に記載された発明では、側縁部から所定距離離間されて壁板材が貼設された一対の壁パネルが両側縁部を突き合わせて設けられた目地部に、該側縁部に跨るように、前記壁板材と略面一となるように目地塞ぎ壁板材を貼設して、目地塞ぎ壁板材と壁板材との突き合わせ部分で両側縁部に跨るように弾性を有する目地テープを貼設し、更に、該目地塞ぎ壁板材及び壁板材並びに該目地テープの上に接着剤を介在させて装飾タイルを貼設した外壁の目地構造を特徴としている。
【０００７】
このように構成された請求項１記載のものでは、該壁面部側縁部に跨るように、該目地部に沿わせて貼設した目地テープによって、防水施工が完了し、従来のように乾燥養生に時間がかかることなく、容易に施工出来、工期を短縮させることが出来る。
また、前記目地テープは、弾性を有するので、前記両壁板材間の歪みを該目地テープが吸収し、タイルにクラック等が発生する虞もない。
しかも、目地塞ぎ壁板材が前記壁板材と表面が略面一となるように貼設されているので、タイル間から目地部が見えることなく更に、外観品質が良好である。
このため、良好な防水構造を短い工期で形成出来る。
【０００８】
そして、請求項２に記載されたものでは、前記一対の壁パネルは、ユニット建物の隣接配置された建物ユニットの壁パネルである請求項１記載の外壁の目地構造を特徴としている。
【０００９】
このように構成された請求項２記載のものでは、ユニット建物の隣接配置された建物ユニットの壁パネルに、前記目地構造の目地テープが用いられることにより、工期の短いユニット工法の有用性を損なうことがない。
【００１０】
また、請求項３に記載されたものでは、前記目地テープには、アクリル系材料で構成された基材内に、シリコン層が設けられると共に、前記基材表面には、予め表面塗装が施されている請求項１又は２記載の外壁の目地構造を特徴としている。
【００１１】
このように構成された請求項３記載のものでは、前記目地テープのアクリル系材料で構成された基材内に、シリコン層が設けられているので、更に歪みに対する追従性が良好で、吸収性が良好である。
また、前記基材表面には、予め表面塗装が施されているので、別途表面塗装を施す必要が無く、この点においても、更に、工期の短縮を図ることが出来る。
【００１２】
更に、請求項４に記載されたものでは、側縁部から所定距離離間されて壁板材が貼設された一対の壁パネルが両側縁部を突き合わせて設けられた目地部に、該側縁部に跨るように、前記壁板材と略面一となるように目地塞ぎ壁板材を貼設した後、目地塞ぎ壁板材と壁板材との突き合わせ部分で両側縁部に跨るように弾性を有する目地テープを貼設し、更に、該目地塞ぎ壁板材及び壁板材並びに該目地テープの上に接着剤を介在させて装飾タイルを貼設する外壁目地施工方法を特徴としている。
【００１３】
このように構成された請求項４記載のものでは、略面一となった該目地塞ぎ壁板材及び前記壁板材の上に、予め形成されている目地テープを貼設して、接着剤を介在させて装飾タイルを貼設することにより、施工現場での施工工数を減少させて、しかも、乾燥養生に必要とされる時間を無くし、工期を短縮できる。
従って、工期が短いことを特徴とするユニット建物等の建物ユニットによって構成される建築物の外壁の目地部の施工に用いて好適である。
また、前記目地塞ぎ壁板材及び前記壁板材の表面が略面一となるので、前記装飾タイルを貼設した後の外観品質も更に良好である。
【００１４】
【発明の実施の形態】
以下、本発明の具体的な実施の形態について、図示例と共に説明する。なお、前記従来例と同一乃至均等な部分については同一符号を付して説明する。
【００１５】
図１乃至図４は、この発明の実施の形態１（参考例）の外壁の目地構造、目地テープ及び外壁目地施工方法を示すものである。
【００１６】
まず、構成から説明すると、この実施の形態１では、図１で示される目地部１３の水平方向断面では、隣接配置されるユニット建物１０の建物ユニット１１，１１間で、一対の壁板材１２，１２が、該建物ユニット１１，１１の各壁面部１１ａ，１１ａに装着されている。
この壁板材１２，１２は、両側縁部１２ａ，１２ａを突き合わせて設けられた目地部１３に沿わせて、これらの壁板材１２，１２の側縁部１２ａ，１２ａに跨るように、弾性を有する目地テープ１４が貼設されている。
【００１７】
この目地テープ１４は、図３又は図４に示すように、アクリル系材料で構成された基材１５内に、シリコン層１６が設けられると共に、前記基材１５の裏面側には、アクリル系材料で構成される粘着層１７が設けられている。
また、この目地テープ１４の基材１５の表面には、不織布１８を有する粘着層１９が設けられている。
更に、この基材１５の表面には、予めアクリルエマルジョンの目地補強層２０及びアクリルエマルジョンの平吹き層２１が設けられている。
【００１８】
そして、図４に示すように、この目地テープ１４の上から接着剤２２を介在させて装飾タイル８が貼設されるように構成されている。
【００１９】
次に、この実施の形態１の外壁の目地構造、目地テープ及び外壁目地施工方法の作用について説明する。
このように構成されたこの実施の形態１の外壁の目地構造、目地テープ及び外壁目地施工方法では、例えば、図１４に示すような隣接配置されるユニット建物２３の建物ユニット２３ａ，２３ａ間で、図１に示すように一対の壁板材１２，１２が、両側縁部１２ａ，１２ａを突き合わせて設けられた目地部１３に、これらの壁板材１２，１２の側縁部１２ａ，１２ａに跨るように、弾性を有して、予め表面に、目地補強層２０及び平吹き層２１が、表面塗装として施されている目地テープ１４を、この目地部１３に沿わせて貼設する。
そして、この目地テープ１４の上から接着剤２２を介在させて装飾タイル８，８を貼設する。
【００２０】
このように、弾性を有する目地テープ１４が、前記壁板材１２，１２の側縁部１２ａ，１２ａに跨るようにこの目地部１３に沿わせて貼設される。
このため、前記目地テープ１４によって、防水施工が完了し、従来のように乾燥養生に時間がかかることなく、容易に施工出来、工期を短縮させることが出来る。
しかも、この目地テープ１４の上から接着剤２２を介在させて装飾タイル８，８が貼設されている。
この目地テープ１４は、基材１５によって弾性を有する。更に、シリコン層の絶縁性によって目地が広がって粘着層１７が切れても基材１５の破断が防止される。このように、前記両壁板材１２，１２間の歪みをこの目地テープ１４が吸収し、装飾タイル８，８にクラック等が発生する虞もない。
【００２１】
【実施の形態２】
図５乃至図１７は、この発明の実施の形態２（実施例）の外壁の目地構造、目地テープ及び外壁目地施工方法を示すものである。なお、前記実施の形態１と同一乃至均等な部分については同一符号を付して説明する。
【００２２】
この実施の形態２では、図１４に示すように建物ユニット２３ａ，２３ａが、桁−桁間を接続されて隣接配置されて建物２３が構成されている。この建物ユニット２３ａ，２３ａの各外壁部２４，２４の壁面部２４ａ，２４ａには、図５に示すように、一対の壁板材１２，１２が、側縁部２４ｂ，２４ｂから所定距離離間されて、端縁部１２ａ，１２ａ間が距離Ｌ離間されるように貼設されている。
【００２３】
この両側縁部２４ｂ，２４ｂを突き合わせて設けられた目地部２５に沿わせて、前記側縁部２４ｂ，２４ｂに跨るように、弾性を有する下地防水テープ３０が貼設されている。
この目地テープ３０では、図１０に示すように、ポリプロピレンの基材シート３１裏面側にブチルゴム粘着剤３２が塗布されて設けられている。
【００２４】
そして、この実施の形態２では、この下地防水テープ３０の上から前記壁板材１２，１２と表面が略面一となるように目地塞ぎ壁板材２７が、複数の釘２７ａ…によって固定されている。
【００２５】
更に、これらの前記壁板材１２，１２と目地塞ぎ壁板材２７との間には、ガスケット部材２８，２８が各々挿入されると共に、前記目地塞ぎ壁板材２７と、前記壁板材１２，１２との突き合わせ部分では、これらのガスケット部材２８の上から両側縁部に跨るように目地テープ２６，２６が貼設されている。この目地テープ２６は、図１３に示すように器材１５内にシリコン層１６が設けられて形成されている。
【００２６】
そして、これらの目地塞ぎ壁板材２７及び壁板材１２，１２の上に接着剤２２を介在させて装飾タイル８，８が貼設されている。
【００２７】
次に、この実施の形態２の外壁の目地構造、目地テープ及び外壁目地施工方法の作用について説明する。
【００２８】
この実施の形態２では、図１４に示すように隣接配置される建物ユニット２３ａ，２３ａに一対の壁板材１２，１２を、図１５に示すようにユニット両側縁部２３ｂ，２３ｂから所定距離離間させて貼設されて、これらの両側縁部２３ｂ，２３ｂが突き合わせて設けられた目地部２５に対し、図６に示すように、これらの両側縁部２３ｂ，２３ｂに跨るように、下地防水テープ３０を、この目地部２５に沿わせて貼設する。
【００２９】
そして、図７に示すように、上階水切り部材２９の下側に目地塞ぎ壁板材２７の上端部をくぐらせて、目地部２５を塞ぐように位置させると共に、図８及び図９に示すように釘２７ａ…によってこの下地防水テープ３０の上から前記壁板材１２，１２と表面が略面一となるように、この目地塞ぎ壁板材２７が貼設される。
【００３０】
次に、図１０，図１１に示すように、目地塞ぎ壁板材２７と壁板材１２，１２との間に、ガスケット部材２８，２８を各々挿入して嵌着させる。
【００３１】
更に、この実施の形態２では、これらのガスケット部材２８の上から、前記目地テープ２６が貼設される。貼設は、ローラーによって充分に、目地テープ２６が押さえつけられながら行われる。
【００３２】
そして、この目地塞ぎ壁板材２７及び壁板材１２，１２の上に接着剤２２を介在させて装飾タイル８，８が貼設される。
【００３３】
この実施の形態２では、前記実施の形態１の作用効果に加えて、更に、目地塞ぎ壁板材２７が、前記弾性を有する目地テープ２６の上から前記壁板材１２，１２と表面が略面一となるように貼設されているので、装飾タイル８，８間から目地部２５が見えることなく更に、外観品質が良好である。
【００３４】
しかも、ガスケット２８及び目地テープ２６は、目地塞ぎ壁板材２７及び壁板材１２間の距離の歪みも吸収するので、更に、装飾タイル８，８にクラックが生じる虞が無くなる。
【００３５】
このように、予め形成されている目地テープ２６を貼設することにより、施工現場での施工工数を減少させて、しかも、乾燥養生に必要とされる時間を無くし、工期を短縮できる。
従って、工期が短いことを特徴とするユニット建物等の建物ユニットによって構成される建築物の外壁の目地部の施工に用いて好適である。
【００３６】
また、前記目地塞ぎ壁板材２７及び前記壁板材１２，１２の表面が略面一となるので、前記装飾タイル８，８を貼設した後の外観品質も更に良好である。
【００３７】
【変形例１】
図１６及び図１７は、この実施の形態２の一変形例（実施例）の外壁の目地構造、目地テープ及び外壁目地施工方法を示すものである。なお、前記実施の形態２と同一乃至均等な部分については、同一符号を付して説明する。
この実施の形態２の変形例１では、図１６に示すように建物ユニット１２３ａ，１２３ａが、妻−妻間を接続されて隣接配置されて建物１２３が構成されている。この建物ユニット１２３ａ，１２３ａの各外壁部１２４，１２４の壁面部１２４ａ，１２４ａには、図１７に示すように、一対の壁板材１２，１２が、側縁部２４ｂ，２４ｂから所定距離離間されて、端縁部１２ａ，１２ａ間が距離離間されるように貼設されている。
他の構成及び作用効果については、前記実施の形態２と同一乃至均等であるので、説明を省略する。
【００３８】
以上、この発明の実施の形態１，２を図面により詳述してきたが、具体的な構成はこの実施の形態（実施例）に限らず、この発明の要旨を逸脱しない範囲の設計の変更等があってもこの発明に含まれる。
例えば、前記実施の形態２では、建物ユニット２３ａ，２３ａを複数組み合わせて構成される建物２３に用いたものを示して説明してきたが、特にこれに限らず、他のプレハブ工法或いは、在来木造建築物であっても、一対の壁パネルの間に、目地部が形成されるものであるならばよいことは当然である。
また、前記実施の形態２では、目地テープ２６を用いたが、特にこれに限らず、前記目地テープ１３を用いてもよいことは当然である。
【００３９】
【発明の効果】
以上説明してきたように、請求項１の発明によれば、該壁面部側縁部に跨るように、該目地部に沿わせて貼設した目地テープによって、防水施工が完了し、従来のように乾燥養生に時間がかかることなく、容易に施工出来、工期を短縮させることが出来る。
また、前記目地テープは、弾性を有するので、前記両壁板材間の歪みを該目地テープが吸収し、タイルにクラック等が発生する虞もない。
しかも、目地塞ぎ壁板材が前記壁板材と表面が略面一となるように貼設されているので、タイル間から目地部が見えることなく更に、外観品質が良好である。
このため、更に、良好な防水構造を短い工期で形成出来る。
【００４０】
そして、請求項２に記載されたものでは、ユニット建物の隣接配置された建物ユニットの壁パネルに、前記目地構造の目地テープが用いられることにより、工期の短いユニット工法の有用性を損なうことがない。
【００４１】
また、請求項３に記載されたものでは、前記目地テープのアクリル系材料で構成された基材内に、シリコン層が設けられているので、更に歪みに対する追従性が良好で、吸収性が良好である。
また、前記基材表面には、予め表面塗装が施されているので、別途表面塗装を施す必要が無く、この点においても、更に、工期の短縮を図ることが出来る。
【００４２】
更に、請求項４に記載されたものでは、略面一となった該目地塞ぎ壁板材及び前記壁板材の上に、予め形成されている目地テープを貼設して、接着剤を介在させて装飾タイルを貼設することにより、施工現場での施工工数を減少させて、しかも、乾燥養生に必要とされる時間を無くし、工期を短縮できる。
従って、工期が短いことを特徴とするユニット建物等の建物ユニットによって構成される建築物の外壁の目地部の施工に用いて好適である。
また、前記目地塞ぎ壁板材及び前記壁板材の表面が略面一となるので、前記装飾タイルを貼設した後の外観品質も更に良好である、という実用上有益な効果を発揮し得る。
【図面の簡単な説明】
【図１】  実施の形態１の外壁の目地構造、目地テープ及び外壁目地施工方法で、要部の水平断面図である。
【図２】  実施の形態１の外壁の目地構造に用いられる目地テープで、搬送及びストック時の丸めた状態を示す斜視図である。
【図３】  実施の形態１の外壁の目地構造、目地テープ及び外壁目地施工方法で、建物の壁面部に形成された目地部に目地テープを貼設する様子を説明する水平方向の断面図である。
【図４】  実施の形態１の外壁の目地構造、目地テープ及び外壁目地施工方法で、目地テープの上から接着剤を介して、装飾タイルを貼設する様子を説明する水平方向の断面図ある。
【図５】  実施の形態２の外壁の目地構造、目地テープ及び外壁目地施工方法で、所定間隔を設けられた目地部の分解斜視図である。
【図６】  実施の形態２の外壁の目地構造、目地テープ及び外壁目地施工方法で、所定間隔を設けられた目地部に、防水下地テープを貼設する様子を説明する分解斜視図である。
【図７】  実施の形態２の外壁の目地構造、目地テープ及び外壁目地施工方法で、所定間隔を設けられた目地部に、防水下地テープを貼設した後、目地塞ぎ壁板材を貼設する際の様子を説明する図８中Ａ−Ａ線に沿った位置での断面図である。
【図８】  実施の形態２の外壁の目地構造、目地テープ及び外壁目地施工方法で、所定間隔を設けられた目地部に、防水下地テープを貼設した後、目地塞ぎ壁板材を釘で貼設する様子を説明する斜視図である。
【図９】  実施の形態２の外壁の目地構造、目地テープ及び外壁目地施工方法で、所定間隔を設けられた目地部に、防水下地テープを貼設した後、目地塞ぎ壁板材を釘で貼設する様子を説明する図８中Ａ−Ａ線に沿った位置に相当する位置での断面図である。
【図１０】  実施の形態２の外壁の目地構造、目地テープ及び外壁目地施工方法で、ガスケット配設部分の構成を説明する図１２中Ｂ−Ｂ線に沿った位置での断面図である。
【図１１】  実施の形態２の外壁の目地構造、目地テープ及び外壁目地施工方法で、目地塞ぎ壁板材を釘で貼設した後、ガスケットを挿入、嵌着させる様子を説明する分解斜視図である。
【図１２】  実施の形態２の外壁の目地構造、目地テープ及び外壁目地施工方法で、ガスケットを挿入した後、目地テープ部材を貼設させる様子を説明する分解斜視図である。
【図１３】  実施の形態２の外壁の目地構造に用いる目地テープの断面図である。
【図１４】  桁−桁つなぎのユニット建物を示す概念図である。
【図１５】  実施の形態２の外壁の目地構造、目地テープ及び外壁目地施工方法で、要部の水平方向に沿った断面図である。
【図１６】  実施の形態２の変形例１の妻−妻つなぎのユニット建物を示す概念図である。
【図１７】  変形例１の外壁の目地構造、目地テープ及び外壁目地施工方法で、要部の水平方向に沿った断面図である。
【図１８】  従来例の外壁の目地構造で、要部の水平断面図である。
【符号の説明】
１０，２３，１２３                ユニット建物
１１，２３ａ，１２３ａ            建物ユニット
１１ａ，２４ａ，１２４ａ          壁面部
１２                              壁板材
１２ａ                            側縁部
１３，２５，１２５                目地部
１４，２６                        目地テープ
１５                              基材
１６                              シリコン層
表面塗装
２０                              目地補強層
２１                              平吹き層
２２                              接着剤
２７                              目地塞ぎ壁板材
３０                              防水下地テープ
【図１】
0004167375.tif 000002
【図２】
0004167375.tif 000003
【図３】
0004167375.tif 000004
【図４】
0004167375.tif 000005
【図５】
0004167375.tif 000006
【図６】
0004167375.tif 000007
【図７】
0004167375.tif 000008
【図８】
0004167375.tif 000009
【図９】
0004167375.tif 000010
【図１０】
0004167375.tif 000011
【図１１】
0004167375.tif 000012
【図１２】
0004167375.tif 000013
【図１３】
0004167375.tif 000014
【図１４】
0004167375.tif 000015
【図１５】
0004167375.tif 000016
【図１６】
0004167375.tif 000017
【図１７】
0004167375.tif 000018
【図１８】
0004167375.tif 000019